(57)【要約】【課題】  乳児における気道を確保するという基本的作用を常に維持できるようにするとともに、追従性（融通性）を高め、何時でも何処でも手軽に使用可能にする。多機能性（多様性）及び汎用性を高めるとともに、製作の容易化及び低コスト化を図る。【解決手段】  乳児Ｂに用いる乳児用まくら１を構成するに際して、所定の厚さを有し、かつ柔軟性を有する、乳児Ｂの頭部Ｂｈに敷くことにより、枕の機能を備える枕本体部２と、この枕本体部２の一端２ｓ側に連続して設けるとともに、所定の厚さを有し、かつ柔軟性を有するシート状に形成し、少なくとも、ロール状に巻くことにより、乳児Ｂの首部Ｂｎを所定の高さＨｎに支える機能を備える首支持部３とを設けてなる。【選択図】  図１
2018019825.tif 000002
【特許請求の範囲】
【請求項１】
乳児に用いる乳児用まくらであって、所定の厚さを有し、かつ柔軟性を有する、乳児の頭部に敷くことにより、枕の機能を備える枕本体部と、この枕本体部の一端側に連続して設けるとともに、所定の厚さを有し、かつ柔軟性を有するシート状に形成し、少なくともロール状に巻くことにより、乳児の首部を所定の高さに支える機能を備える首支持部とを設けてなることを特徴とする乳児用まくら。
【請求項２】
前記枕本体部は、布材の内部に綿材を充填して構成するとともに、中心部位に円状の窪み部を設けてなることを特徴とする請求項１記載の乳児用まくら。
【請求項３】
前記首支持部は、布材の内部に綿材を充填して構成するとともに、横方向に施した縫製部を、縦方向に所定間隔置きに設けることによりキルティング状にしてなることを特徴とする請求項１記載の乳児用まくら。
【請求項４】
前記首支持部と前記枕本体部は、一体に連続構成，又は着脱部を介して着脱可能に構成することを特徴とする請求項１，２又は３記載の乳児用まくら。
【発明の詳細な説明】
【技術分野】
【０００１】
本発明は、乳児、特に新生児に用いて好適な乳児用まくらに関する。
【背景技術】
【０００２】
一般に、新生児は、気道が細く柔らかいため、頭，首（頸椎），肩（胴体側）が適切な位置関係に置かれない場合、気道が十分に確保されない事態が生じる虞れがある。このような事態は、病院のベッドなどに安定した状態で寝かせた場合でも生じる虞れがあるが、特に、火災や災害等で病院から避難を強いられる場合に生じやすい。即ち、この場合、看護師は首から肩に掛けたベビーキャリアに新生児を入れて搬送する場合が多いが、この際、新生児は様々な角度で揺られるため、上記事態が頻繁に生じやすく、新生児にとっての負担が無視できない。このため、新生児を寝かせた際に、頭と首（頸椎）の位置関係を適切に保てるようにした乳児専用の枕や補助具も提案されている。
【０００３】
従来、このような枕や補助具としては、特許文献１に開示される乳児用枕及び特許文献２に開示される首位置保持具が知られている。特許文献１の乳児用枕は、乳児が安心して睡眠できるようにすることを目的としたものであり、具体的には、第１の高さを有し、乳児の後頭部の両側部を下から支える逆Ｕ字状の頭部位置決め部と、第１の高さよりも低い第２の高さを有し、頭部位置決め部によって位置決めされた乳児の首を下から支える頸椎支え部とを備え、頭部位置決め部と頸椎支え部とで固まれた部分は凹部を形成し、そこに乳児の後頭部を位置させるようにしたものである。
【０００４】
また、特許文献２の首位置保持具は、乳児の首の屈曲を防ぎ、気道閉塞や酸素飽和度の低下を招かないようにすることを目的としたものであり、具体的には、育児器具の座席上に寝かされた乳児の首の位置を保持するものであって、乳児の耳の下から顎の下までの部分を下から支える顎当てパッドと、顎当てパッドを育児器具に備え付けの肩ベルトに接続するための接続部材とにより構成されたものである。
【先行技術文献】
【特許文献】
【０００５】
【特許文献１】特開２００５−０８１０３９号公報
【特許文献２】特開２００５−１１２０５４号公報
【発明の概要】
【発明が解決しようとする課題】
【０００６】
しかし、上述した従来の乳児用枕（特許文献１）や首位置保持具（特許文献２）は、次のような問題点があった。
【０００７】
第一に、乳児の姿勢に対する位置決めを目的としているため、ベッドなどで安定した状態で寝かせる場合にはその機能を発揮できるとしても、前述のように、看護師がベビーキャリアで搬送するような場合、揺れや傾きにより、新生児が却って無理のかかる不自然な状態に置かれる可能性もあるなど、十分に機能させるには使用態様が限定的となる。したがって、使用に際しての融通性に欠けるなど、何時でも何処でも手軽に使用したいという要請には十分に応えることができない。
【０００８】
第二に、姿勢を保持するための専用具として特定されるため、他の用途や目的には使用しにくいとともに、新生児の体形や大きさ等にマッチングさせた使用もできない。即ち、一般的な通常の枕として使用したり、形状，位置，高さ等を変更して使用できないため、多機能性（多様性）に劣るとともに、汎用性にも難がある。しかも、専用具として製作されるため、形状や構成が複雑化する傾向があり、製作に係るコスト面でも難がある。
【０００９】
本発明は、このような背景技術に存在する課題を解決した乳児用まくらの提供を目的とするものである。
【課題を解決するための手段】
【００１０】
本発明は、上述した課題を解決するため、乳児Ｂに用いる乳児用まくら１を構成するに際して、所定の厚さを有し、かつ柔軟性を有する、乳児Ｂの頭部Ｂｈに敷くことにより、枕の機能を備える枕本体部２と、この枕本体部２の一端２ｓ側に連続して設けるとともに、所定の厚さを有し、かつ柔軟性を有するシート状に形成し、少なくとも、ロール状に巻くことにより、乳児Ｂの首部Ｂｎを所定の高さＨｎに支える機能を備える首支持部３とを設けてなることを特徴とする。
【００１１】
この場合、発明の好適な態様により、枕本体部２は、布材１１…（１１ｆ，１１ｓ）の内部に綿材１２（１２ｈ）を充填して構成するとともに、中心部位に円状の窪み部１３を設けて構成できる。一方、首支持部３は、布材１１…（１１ｍ，１１ｎ）の内部に綿材１２（１２ｓ）を充填して構成するとともに、横方向Ｆｗに施した縫製部１４…を、縦方向Ｆｖに所定間隔Ｌｉ…置きに設けることによりキルティング状に形成できる。なお、枕本体部２と首支持部３は、一体に連続構成してもよいし、或いは着脱部１５を介して着脱可能に構成してもよい。
【発明の効果】
【００１２】
このような構成を有する本発明に係る乳児用まくら１によれば、次のような顕著な効果を奏する。
【００１３】
（１）  所定の厚さを有し、かつ柔軟性を有する、乳児Ｂの頭部Ｂｈに敷くことにより、枕の機能を備える枕本体部２と、この枕本体部２の一端２ｓ側に連続して設けるとともに、所定の厚さを有し、かつ柔軟性を有するシート状に形成し、少なくとも、ロール状に巻くことにより、乳児Ｂの首部Ｂｎを所定の高さＨｎに支える機能を備える首支持部３とを設けてなるため、寝かせた乳児Ｂにおける気道を確保するという基本的作用を常に維持できることに加え、例えば、乳児Ｂがベビーキャリアで搬送され、揺れや傾きにより無理のかかる不自然な状態に置かれるような場合であっても、柔軟に対応できるなど、追従性（融通性）に優れ、何時でも何処でも手軽に使用できる。
【００１４】
（２）  首支持部３は、柔軟性を有するシート状に形成するため、ロール状に巻くことができるのみならず、巻量を調整したり、任意の形状に折り畳むことができ、例えば、一般的な普通の枕として使用したり、或いは高さ調整を行うことにより乳児Ｂの体形や大きさ等にマッチングさせて使用するなど、多機能性（多様性）、更には汎用性を高めることができる。しかも、比較的単純な形状及び構成により実施できるため、製作の容易化及び低コスト化を図ることができる。
【００１５】
（３）  好適な態様により、枕本体部２を構成するに際し、布材１１…（１１ｆ，１１ｓ）の内部に綿材１２（１２ｈ）を充填して構成するとともに、中心部位に円状の窪み部１３を設けて構成すれば、ドーナツ形の汎用的な枕として機能させることができるため、枕本体部２自身は一般的な乳児用枕として汎用的に使用できる。
【００１６】
（４）  好適な態様により、首支持部３を構成するに際し、布材１１…（１１ｍ，１１ｎ）の内部に綿材１２（１２ｓ）を充填して構成するとともに、横方向Ｆｗに施した縫製部１４…を、縦方向Ｆｖに所定間隔Ｌｉ…置きに設けることによりキルティング状に形成すれば、並行に設けられる各縫製部１４…を折曲ラインとして折曲できるため、緊急時などであっても、横ずれ等が生じない適正形状となるロール状の首支持部３を容易かつ速やかに得ることができる。
【００１７】
（５）  好適な態様により、枕本体部２と首支持部３を、一体に連続構成すれば、枕本体部２と首支持部３をそれぞれ別々に製作することなく同時に一体物として製作できるため、更なる製作の容易化及び低コスト化を実現できるとともに、使用時には、そのまま使用できるため、片方を紛失してしまうなどの不具合も回避できる。
【００１８】
（６）  好適な態様により、枕本体部２と首支持部３を、着脱部１５を介して着脱可能に構成すれば、枕本体部２に首支持部３を装着（連結）することにより、本来の乳児用まくら１として使用できるとともに、乳児用まくら１として使用しないときは、枕本体部２から首支持部３を離脱させることにより、例えば、枕本体部２は、一般的な乳児用枕として、また、首支持部３は、一般的な敷きマット等として、それぞれ個別の物品として利用できる。
【図面の簡単な説明】
【００１９】
【図１】本発明の好適実施形態に係る乳児用まくらの平面外観図、
【図２】同乳児用まくらの首支持部をロール状に丸めた第一の使用モードの状態を示す側面外観図、
【図３】同乳児用まくらの首支持部を平坦に広げた第二の使用モードの状態を示す側面外観図、
【図４】同乳児用まくらの側面断面図、
【図５】同乳児用まくらを第一の使用モードで使用する状態を示す側面図、
【図６】同乳児用まくらを第二の使用モードで使用する状態（ａ）及び第三の使用モードで使用する状態（ｂ）を示す側面図、
【図７】本発明の変更実施形態に係る乳児用まくらの側面外観図、
【図８】本発明の他の変更実施形態に係る乳児用まくらの側面断面図、
【図９】本発明の他の変更実施形態に係る乳児用まくらの側面外観図、
【発明を実施するための形態】
【００２０】
次に、本発明に係る好適実施形態を挙げ、図面に基づき詳細に説明する。
【００２１】
まず、本実施形態に係る乳児用まくら１の構成について、図１〜図４を参照して具体的に説明する。
【００２２】
実施形態で示す乳児用まくら１は、図１に示すように、大別して、枕本体部２と首支持部３により構成し、首支持部３は枕本体部２の一端２ｓ側に連続する。
【００２３】
枕本体部２は、所定の厚さを有し、かつ柔軟性を有する、乳児Ｂの頭部Ｂｈに敷くことにより、枕として機能するように構成する。即ち、図１及び図４に示すように、布材１１…の内部に綿材１２を充填して構成するとともに、中心部位に円状の窪み部１３を設けて構成する。
【００２４】
この場合、図１に示すように、平面から見て、一方の短辺１１ｓを半円状に形成し、全体として長方形状となる二枚の布材１１，１１を用意し、図４に示すように、この二枚の布材１１と１１間に、所定量の綿材１２を介在させた後、布材１１と１１間の周縁部位を縫製して全周に沿った縫製部１４ｓを設けるとともに、図１に示すように、布材１１，１１の長手方向（縦方向）Ｆｖにおける中央付近の位置に縫製部１４ｍを設ける。この縫製部１４ｍは、布材１１，１１の他方における直線状の短辺１１ｔに対して並行となるように直線状に設ける。
【００２５】
これにより、この縫製部１４ｍが枕本体部２の一端２ｓとなり、縫製部１４ｍに対して一方の短辺１１ｓ側を枕本体部２として構成できる。そして、図１及び図４に示すように、枕本体部２の中心部位には、縫製部１４ｐにより円状の窪み部１３を設ける。この場合、縫製部１４ｐの内側における綿材１２を縫製部１４ｐの外側における綿材１２よりも十分に少なくするか除去することにより窪み部１３を設けることができる。
【００２６】
したがって、枕本体部２における一方の布材１１が、枕本体部２を構成する第一布材１１ｆとなり、かつ他方の布材１１が、枕本体部２を構成する第二布材１１ｓとなり、第一布材１１ｆと第二布材１１ｓ間の内部に綿材１２が充填された枕本体部２が構成されるとともに、この中心部位に円状の窪み部１３が設けられる。この場合の綿材１２が枕本体部２を構成する綿材１２ｈとなる。枕本体部２をこのように構成すれば、ドーナツ形の汎用的な枕として機能させることができるため、枕本体部２自身は一般的な乳児用枕として汎用的に使用できる利点がある。
【００２７】
一方、上述した縫製部１４ｍに対して他方の短辺１１ｔ側を首支持部３として構成できる。首支持部３は、所定の厚さを有し、かつ柔軟性を有するシート状に形成し、少なくとも、ロール状に巻くことにより、乳児Ｂの首部Ｂｎを所定の高さＨｎに支える保持体として機能するように構成する。即ち、図１及び図４に示すように、布材１１…の内部に綿材１２を充填して構成するとともに、横方向Ｆｗに施した縫製部１４…を、縦方向Ｆｖに所定間隔Ｌｉ…置きに設けることによりキルティング状に形成する。各縫製部１４…は、縫製部１４ｍに対して並行となる直線状に設け、それぞれ所定間隔（例示は一定間隔）Ｌｉ…おきに設ける。例示の縫製部１４…は五個所である。
【００２８】
したがって、首支持部３における一方の布材１１が、首支持部３を構成する第一布材１１ｍとなり、かつ他方の布材１１が、首支持部３を構成する第二布材１１ｎとなり、第一布材１１ｍと第二布材１１ｎ間の内部に綿材１２が充填された首支持部３が構成されるとともに、横方向Ｆｗに並行に配した複数の縫製部１４…によりキルティング状に形成される。この場合の綿材１２が首支持部３を構成する綿材１２ｓとなる。首支持部３をこのように構成すれば、並行に設けられる各縫製部１４…を折曲ラインとして折曲できるため、緊急時などであっても、横ずれ等が生じない適正形状となるロール状の首支持部３を容易かつ速やかに得れる利点がある。
【００２９】
以上により、本実施形態に係る乳児用まくら１を得ることができる。よって、このような本実施形態に係る乳児用まくら１によれば、比較的単純な形状及び構成により実施できるため、製作の容易化及び低コスト化を図ることができる。特に、枕本体部２と首支持部３は、一体に連続構成したため、枕本体部２と首支持部３をそれぞれ別々に製作することなく同時に一体物として製作でき、更なる製作の容易化及び低コスト化を実現できるとともに、使用時には、そのまま使用できるため、片方を紛失してしまうなどの不具合も回避できる。
【００３０】
次に、本実施形態に係る乳児用まくら１の使用方法及び機能について、図５及び図６を参照して説明する。
【００３１】
まず、乳児用まくら１を使用する際には、乳児Ｂを寝かせたいベッドやベビーキャリア等の上に乳児用まくら１を敷き、図５に示すように、首支持部３を先端側から巻くことによりロール状にセットする。この使用方法が第一の使用モードＭｒとなる標準的な使用方法となる。
【００３２】
そして、ベッドやベビーキャリア等の上に乳児Ｂを寝かせ、乳児Ｂの頭部Ｂｈを、図５に示すように、枕本体部２の上に載せる。この際、頭部Ｂｈを円状の窪み部１３に保持させる。これにより、乳児Ｂの首部Ｂｎは、図５に示すように、いわば自動的に、ロール状に巻いた保持体となる首支持部３上に位置し、首部（頸椎部）Ｂｎは、この首支持部３により、高さＨｈの位置（高さ）に保持されることになる。なお、この際、必要により、乳児Ｂの体形や大きさ等に応じて、首支持部３の位置，高さ，角度等を調整することができる。
【００３３】
したがって、乳児Ｂを寝かせた際には、乳児Ｂの首部（頸椎部）Ｂｎが、首支持部３により、常に、高さＨｈの位置（高さ）に保持されることになり、首部Ｂｎの屈曲、更には気道閉塞等の事態が回避され、常に、気道が確保される。
【００３４】
このように、本実施形態に係る乳児用まくら１は、基本的な構成として、所定の厚さを有し、かつ柔軟性を有する、乳児Ｂの頭部Ｂｈに敷くことにより、枕の機能を備える枕本体部２と、この枕本体部２の一端２ｓ側に連続して設けるとともに、所定の厚さを有し、かつ柔軟性を有するシート状に形成し、少なくとも、ロール状に巻くことにより、乳児Ｂの首部Ｂｎを所定の高さＨｎに支える機能を備える首支持部３とを設けてなるため、寝かせた乳児Ｂにおける気道を確保するという基本的作用を常に維持できることに加え、例えば、乳児Ｂがベビーキャリアで搬送され、揺れや傾きにより無理のかかる不自然な状態に置かれるような場合であっても、柔軟に対応できるなど、追従性（融通性）に優れ、何時でも何処でも手軽に使用できる。
【００３５】
一方、この乳児用まくら１は、図６（ａ）及び（ｂ）に示すように、様々な態様で使用することができる。
【００３６】
図６（ａ）は、首支持部３を、平坦な状態に広げた第二の使用モードＭｆにより使用する場合を示している。この使用モードＭｆでは、首支持部３は、乳児Ｂの首部Ｂｎを支える機能が無くなり、代わりに、背部Ｂｂに敷いて使用することができる。したがって、乳児Ｂを寝かせる面が固かったり凹凸があるなどの状況下で使用する場合に有効であり、いわば、敷布団（敷きマット）として機能させることができる。また、枕本体部２は、首支持部３の無い一般的な幼児用枕として使用することができる。なお、この場合、首部Ｂｎが首支持部３により保持されないことから、首部Ｂｎの高さＨｄは、首支持部３として使用する際の高さＨｎよりも低くなる。
【００３７】
図６（ｂ）は、首支持部３を、縫製部１４ｍから枕本体部２の下面側に折り返し、二つ折りにした第三の使用モードＭｈにより使用する場合を示している。この使用モードＭｈでは、枕本体部２の厚さを、実質二倍にすることができるため、枕本体部２の高さを二倍にすることができる。したがって、使用する乳児Ｂの体形や大きさ等に応じて、高さの低い枕と高い枕を使い分けることができるとともに、その使い分けも極めて容易に行うことができる。
【００３８】
よって、このような本実施形態に係る乳児用まくら１によれば、首支持部３は、柔軟性を有するシート状に形成するため、ロール状に巻くことができるのみならず、巻量を調整したり、任意の形状に折り畳むことができ、例えば、一般的な普通の枕として使用したり、或いは高さ調整を行うことにより乳児Ｂの体形や大きさ等にマッチングさせて使用するなど、多機能性（多様性）、更には汎用性を高めることができる。
【００３９】
次に、本発明の変更実施形態に係る乳児用まくら１について、図７〜図９を参照して説明する。
【００４０】
図７は、図１〜図４に示した標準構成の乳児用まくら１を基本とし、首支持部３の長さを、長手方向（縦方向）Ｆｖに、より長くするとともに、縫製部１４…同士の間隔をより狭くし、縫製部１４…の数を増やしたものである。即ち、図１〜図４に示した乳児用まくら１では、縫製部１４…の数を五個所としたが、図７の乳児用まくら１では、縫製部１４…の数を九個所にしたものである。
【００４１】
図７に示す乳児用まくら１は、ロール状に巻くことができることに加え、交互に折り返すことにより、積層態様となる複数段にセットできるようにしたものである。例示は、実線で示すように、首支持部３を上下方向に三段となる積層態様を示す。このように、首支持部３の長さ，縫製部１４…同士の間隔，縫製部１４…の数などは、用途や目的に応じて任意に選定できるとともに、選定により積層する際の段数も任意に設定できる。
【００４２】
図８は、図１〜図４に示した標準構成の乳児用まくら１に対して、形成素材及び構造形式を異ならせたものである。即ち、図１〜図４に示した乳児用まくら１では、布材１１…（１１ｆ，１１ｓ）の内部に綿材１２（１２ｈ）を充填して枕本体部２を構成し、かつ布材１１…（１１ｍ，１１ｎ）の内部に綿材１２（１２ｓ）を充填して首支持部３を構成したが、図８に示す乳児用まくら１は、全体の外観形状を、図１〜図４に示した乳児用まくら１と同一に形成できるも、全体を、ゴム素材や発泡素材等の柔軟素材２１により一体成形したものである。このため、図１〜図４に示した乳児用まくら１のような縫製部１４ｍ，１４ｓ，１４…は設けず、対応する部位を、スリット状の薄肉部１４ｕ…として形成することにより同様の機能を持たせている。したがって、このような形態も本発明に係る乳児用まくら１の概念に包含する。
【００４３】
図９は、図１〜図４に示した標準構成の乳児用まくら１に対して、枕本体部２と首支持部３を、着脱部１５を介して着脱可能に構成したものである。即ち、図９に示す乳児用まくら１は、枕本体部２と首支持部３をそれぞれ別体の物品として製作し、枕本体部２の一端２ｓに、一端側が一体となり、かつ他端側を当該一端２ｓから所定幅にわたって突出させたシート片１５ｈｃを設けるとともに、首支持部３の縫製部１４ｍの部位に、一端側が一体となり、かつ他端側を当該縫製部１４ｍから所定幅にわたって突出させたシート片１５ｓｃを設け、シート片１５ｈｃとシート片１５ｓｃを面ファスナ１５ｃにより着脱可能に構成したものである。
【００４４】
このような図９に示す変更実施形態によれば、枕本体部２と首支持部３を、着脱部１５を介して着脱可能に構成したため、枕本体部２に首支持部３を装着（連結）することにより、本来の乳児用まくら１として使用できるとともに、乳児用まくら１として使用しないときは、枕本体部２から首支持部３を離脱させることにより、例えば、枕本体部２は、一般的な乳児用枕として、また、首支持部３は、一般的な敷きマット等として、それぞれ個別の物品として利用できる。したがって、このような形態も本発明に係る乳児用まくら１の概念に包含する。
【００４５】
なお、図７〜図９に示す変更実施形態に係る乳児用まくら１において、図１〜図４と同一部分には同一符号を付して、その構成を明確にするとともに、その詳細な説明は省略する。
【００４６】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。
【００４７】
例えば、乳児用まくらとは、用途を乳児に特定する意味ではなく、乳児に用いて最適という意味である。したがって、首部Ｂｎを、首支持部Ｂｓにより保持する必要のある幼児や児童など、必要としている様々な対象者に使用することができる。また、実施形態では、二枚の布材１１と１１を縫い合わせて製作した例を挙げたが、一枚の布材１１を二つ折りにして製作してももちろんよい。さらに、枕本体部２には円状の窪み部１３を設けた場合を例示したが、窪み部１３を設けない場合を排除するものではない。同様に、首支持部３はキルティング状に形成した場合を例示したが、一枚の平坦状に構成する場合を排除するものではない。一方、着脱部１５は、面ファスナ１５ｃを用いた場合を例示したが、ボタン等の同様の機能を有する他の各種着脱手段を適用できる。
【産業上の利用可能性】
【００４８】
本発明に係る乳児用まくらは、新生児を含む乳児の気道を確保する必要がある様々な態様において利用することができる。
【符号の説明】
【００４９】
１：乳児用まくら，２：枕本体部，２ｓ：枕本体部の一端，３：首支持部，１１：布材，１１ｆ：枕本体部を構成する第一布材，１１ｓ：枕本体部を構成する第二布材，１１ｍ：首支持部を構成する第一布材，１１ｎ：首支持部を構成する第二布材，１２：綿材，１２ｈ：枕本体部を構成する綿材，１２ｓ：首支持部を構成する綿材，１３：窪み部，１４…：縫製部，１５：着脱部，Ｂ：乳児，Ｂｈ：乳児の頭部，Ｂｎ：乳児の首部，Ｈｎ：所定の高さ，Ｆｗ：横方向，Ｆｖ：縦方向，Ｌｉ…：所定間隔
【図１】
2018019825.tif 000003
【図２】
2018019825.tif 000004
【図３】
2018019825.tif 000005
【図４】
2018019825.tif 000006
【図５】
2018019825.tif 000007
【図６】
2018019825.tif 000008
【図７】
2018019825.tif 000009
【図８】
2018019825.tif 000010
【図９】
2018019825.tif 000011